(57)【要約】【課題】  マイクロホンユニットをフレキシブルパイプにて支持してなるマイクロホンにおいて、フレキシブルパイプの屈曲時に発生する機械的振動を効果的に制動する。【解決手段】  フレキシブルパイプ内に挿通されるマイクケーブルの絶縁シースをゴム弾性を有する弾性体とし、その外周面にフレキシブルパイプの内面に対し変形を伴って圧縮された状態で接触するリブ５５を形成する。【選択図】  図２
2006005696.tif 000002
【特許請求の範囲】
【請求項１】
マイクロホンユニットがフレキシブルパイプを含む支持パイプの一端側にて支持され、上記マイクロホンユニットに接続される絶縁シースを有するマイクケーブルが上記支持パイプ内に挿通されて上記支持パイプの他端側から引き出されているマイクロホンにおいて、
上記絶縁シースがゴム弾性を有する弾性体からなり、上記絶縁シースの外周面には上記フレキシブルパイプの内面に対し変形を伴って圧縮された状態で接触するリブが一体的に形成されていることを特徴とするマイクロホン。
【請求項２】
上記リブが上記マイクケーブルの軸線方向と平行に形成されている請求項１に記載のマイクロホン。
【請求項３】
上記リブが螺旋状に形成されている請求項１に記載のマイクロホン。
【請求項４】
上記リブはその複数本がほぼ均等間隔で配置されている請求項１，２または３に記載のマイクロホン。
【発明の詳細な説明】
【技術分野】
【０００１】
本発明はマイクロホンユニットをフレキシブルパイプを含む支持パイプにて支持してなるマイクロホンに関し、さらに詳しく言えば、フレキシブルパイプを曲げる際に発生する機械的な振動を制動する技術に関するものである。
【背景技術】
【０００２】
マイクロホンスタンドの一つとして例えば特許文献１に記載されているように屈曲自在なフレキシブルパイプを用いるものがある。フレキシブルパイプを用いたマイクロホンはグースネック型マイクロホンと呼ばれ、話者の口元にマイクロホンユニットを向けやすいことから会議室などに好ましく採用されている。
【０００３】
フレキシブルパイプはよく知られているように、鋼などの丸線材で復元力を担うコイルバネを形成し、その上からコイルバネの隙間に断面三角形状で塑性変形する銅合金などからなる三角線材を挟み込むことにより作製され、丸線材と三角線材とが強い摩擦をもつことから任意の方向に変形可能で、かつ、その変形状態を自己保持する。
【０００４】
しかしながら、丸線材と三角線材とが強い摩擦で係合していることから、その反面の現象として屈曲する際に機械的な振動が発生し、その振動がマイクロホンユニットに拾われて雑音を発生することがある。
【０００５】
フレキシブルパイプを用いたマイクロホンには、この他にヘッドセット用のマイクロホンがあるが、このマイクロホンにおいてもフレキシブルパイプの曲げに伴って同様に雑音が発生することがある。
【０００６】
【特許文献１】特開平９−２２９２９２号公報
【発明の開示】
【発明が解決しようとする課題】
【０００７】
したがって、本発明の課題は、マイクロホンユニットをフレキシブルパイプを含む支持パイプにて支持してなるマイクロホンにおいて、フレキシブルパイプを曲げる際に発生する機械的な振動を効果的に制動し得る制動手段を備えたマイクロホンを提供することにある。
【課題を解決するための手段】
【０００８】
上記課題を解決するため、本発明は、マイクロホンユニットがフレキシブルパイプを含む支持パイプの一端側にて支持され、上記マイクロホンユニットに接続される絶縁シースを有するマイクケーブルが上記支持パイプ内に挿通されて上記支持パイプの他端側から引き出されているマイクロホンにおいて、上記絶縁シースがゴム弾性を有する弾性体からなり、上記絶縁シースの外周面には上記フレキシブルパイプの内面に対し変形を伴って圧縮された状態で接触するリブが一体的に形成されていることを特徴としている。
【０００９】
本発明には、好ましい態様として上記リブが上記マイクケーブルの軸線方向と平行に形成される態様と、上記リブが螺旋状に形成される態様とが含まれる。いずれ態様においても、上記リブはその複数本がほぼ均等間隔で配置されることが好ましい。
【発明の効果】
【００１０】
本発明によれば、マイクケーブルを支持パイプ内に挿通することにより絶縁シースに形成されているリブがフレキシブルパイプの内面に押し付けられ、これによりフレキシブルパイプの屈曲時に発生する機械的な振動が制動される。また、フレキシブルパイプに加えられる外来振動なども低減することができる。
【発明を実施するための最良の形態】
【００１１】
次に、図１ないし図３を参照して本発明の実施形態について説明するが、本発明はこれに限定されるものではない。図１は本発明のマイクロホンをグースネック型マイクロホンとした一例を示す側面図，図２は本発明で使用されるマイクケーブルの一例を拡大して示す斜視図，図３は上記マイクケーブルの拡大断面図である。
【００１２】
図１に示すように、このマイクロホン１はグースネック型であることから、マイクロホンユニット１０は支持パイプ２０の一端（上端）側に支持されている。グースネック型マイクロホンにおいて、マイクロホンユニット１０には通常コンデンサマイクロホンユニットが用いられるが、場合によってはダイナミックマイクロホンユニットが用いられてもよい。
【００１３】
この例において、支持パイプ２０にはフレキシブルパイプ２１と例えば真鍮材などからなる金属パイプ２２とが含まれている。上記したように、フレキシブルパイプ２１は鋼などの丸線材で復元力を担うコイルバネを形成し、その上からコイルバネの隙間に断面三角形状で塑性変形する銅合金などからなる三角線材を挟み込むことにより作製される。
【００１４】
この例では、金属パイプ２２の上端側にフレキシブルパイプ２１が連結されているが、この配置の順序は任意であってよい。例えば、金属パイプ２２を上としフレキシブルパイプ２１をその下端側に連結してもよいし、金属パイプ２２を２本としその中間にフレキシブルパイプ２１を連結してもよい。さらには、支持パイプ２０の全体をフレキシブルパイプ２１としてもよい。
【００１５】
また、支持パイプ２０をテーブル３０に取り付けるにあたって、この例ではテーブル３０に球継ぎ手４１を含む自在軸受４０を設置し、その球継ぎ手４１に金属パイプ２２の下端側を挿通して固定するようにしているが、図示しない別の金具などを用いて支持パイプ２０をテーブル３０に取り付けてもよい。
【００１６】
支持パイプ２０の下端側からはマイクロホンユニット１０に接続されたマイクケーブル５０が引き出されている。図２および図３を参照して、マイクケーブル５０には２本の内部導体５１，５２を例えばメッシュ状のシールド線５３にて被覆してなる２芯シールドケーブルが用いられる。
【００１７】
内部導体５１，５２はそれぞれ内部シース５１ａ，５２ａにより被覆されており、シールド線５３には外皮としての絶縁シース５４が被覆されている。本発明において、絶縁シース５４は例えば塩化ビニル，ポリプロピレン，シリコンゴムなどのゴム弾性を有する弾性体からなり、その外周面にはマイクケーブル５０が支持パイプ２０に挿通される際にフレキシブルパイプ２１の内面に対し変形を伴って圧縮された状態で接触するリブ５５が一体的に形成されている。
【００１８】
リブ５５は例えば押し出し成型により絶縁シース５４に一体に形成され、これによればマイクケーブル５０の全長にわたって形成することができるが、少なくともフレキシブルパイプ２１の内面に対応する部分に設けられていればよい。
【００１９】
リブ５５はその複数本がマイクケーブル５０の外周面に均等な間隔を持って形成されることが好ましい。この例では、２本のリブ５５を対向的すなわち１８０゜の間隔で配置している。
【００２０】
また、この例において、リブ５５はマイクケーブル５０の軸線方向と平行な直線状に形成されているが、螺旋状に形成されてもよい。螺旋状とする場合には、そのスパイラルピッチにもよるが１本で済ませることもできる。
【００２１】
また、この例において、リブ５５は断面三角形状に形成されているが断面円弧状や断面矩形状であってもよい。リブ５５の高さはマイクケーブル５０をフレキシブルパイプ２１内に挿通し得ることを条件としてフレキシブルパイプ２１の内面に常時接触する高さに設定される。この例で言うと、２本のリブ５５の各頂点を含むマイクケーブル５０の仮想の外径がフレキシブルパイプ２１の内径よりも大きくなるようにリブ５５の高さが決められる。
【００２２】
これによれば、マイクケーブル５０をフレキシブルパイプ２１内に挿通すると、リブ５５がフレキシブルパイプ２１の内面に弾性的に接触するため、フレキシブルパイプ２１の屈曲時に発生する機械的振動が絶縁シース５４にて制動され、マイクロホンユニット１０に伝わりにくくなる。また、テーブル３０を叩くなどして発生する振動も減衰される。
【００２３】
以上、本発明を図１に示すグースネック型マイクロホンを例にして説明したが、本発明はこれ以外に例えばヘッドセット用でフレキシブルパイプにて支持されたマイクロホンにも適用することができる。
【図面の簡単な説明】
【００２４】
【図１】本発明のマイクロホンをグースネック型マイクロホンとした一例を示す側面図。
【図２】本発明で使用されるマイクケーブルの一例を拡大して示す斜視図。
【図３】上記マイクケーブルの拡大断面図。
【符号の説明】
【００２５】
１  マイクロホン
１０  マイクロホンユニット
２０  支持パイプ
２１  フレキシブルパイプ
２２  金属パイプ
３０  テーブル
４０  自在軸受
５０  マイクケーブル
５１，５２  内部導体
５３  シールド線
５４  絶縁シース
５５  リブ
【図１】
2006005696.tif 000003
【図２】
2006005696.tif 000004
【図３】
2006005696.tif 000005